(57)【要約】【課題】魚の誘うのに効果的な泳ぎができ、キャスト時の飛距離に優れたルアーを提供する。【解決手段】水中に沈む質量とされたルアー本体１０と、前記ルアー本体１０の頭部１１側の先端に取り付けられ、水の抵抗を受ける板状のリップ２０と、前記リップ２０に形成され、ラインが結ばれる連結部２１と、を備え、前記リップ２０の角度は、前記ルアー本体１０の前後方向に対して、０度を越え９０度未満の範囲内に上向きに設定されている。【選択図】図１
2018143224.tif 000002
【特許請求の範囲】
【請求項１】
水中に沈む質量とされたルアー本体と、
前記ルアー本体の頭部側の先端に取り付けられ、水の抵抗を受ける板状のリップと、
前記リップに形成され、ラインが結ばれる連結部と、
を備え、
前記リップの角度は、前記ルアー本体の前後方向に対して、０度を越え９０度未満の範囲内に上向きに設定されていることを特徴とするルアー。
【請求項２】
前記リップの角度は、前記ルアー本体の前後方向に対して、０度〜３０度の範囲内に設定されている請求項１に記載のルアー。
【請求項３】
前記連結部は、前記リップの先端付近に形成されている請求項１又は２に記載のルアー。
【発明の詳細な説明】
【技術分野】
【０００１】
本発明は、ルアーフィッシングに使用されるルアーに関する。
【背景技術】
【０００２】
従来、魚を模した外形に形成され、頭部に板状のリップが形成されているルアーが知られている。このようなルアーは、リップがボディに対して水中方向（下向き）に傾いているため、リップの上面（表面）に水の抵抗を受け、ボディを左右に揺らしながら、水中に潜る泳ぎをするものが一般に知られている（特許文献１参照）。
【０００３】
一方、上向きのリップがルアーの背部側に設けられ、リップの下面（裏面）に水の抵抗を受けることで、浮上しながら泳ぐルアーが存在する（特許文献２参照）。
【先行技術文献】
【特許文献】
【０００４】
【特許文献１】特許第５６９３２５２号公報
【特許文献２】特開平１０−１０８５９１号公報
【発明の概要】
【発明が解決しようとする課題】
【０００５】
しかしながら、このような浮上しながら泳ぐルアーは、魚を誘うのに効果的な泳ぎをするが、キャスト時において、ラインが結ばれた顔側とは反対の尾側（前後方向の後方）に向かって飛行するため、リップが背部側に取り付けられていると、ボディに沿った空気の流れが、背部側のリップで滞ってルアーに働く空気の抵抗が大きくなり、キャスト時の飛距離を損なっていた。
【０００６】
また、キャスト時において、このルアーは、リップが背部側に取り付けられ、このリップにラインが結ばれているため、飛行中にラインがボディに近接した位置にあることが多く、ひいてはボディにラインが巻き付く原因にもなり、飛行姿勢に影響を与えていた。
【０００７】
そこで、本発明は、上述した課題に鑑みてなされたもので、その目的は、魚の誘うのに効果的な泳ぎができとともに、キャスト時の飛距離に優れたルアーを提供することにある。
【課題を解決するための手段】
【０００８】
上記目的を達成するため、本発明は以下の構成を要旨とするものである。
［１］水中に沈む質量とされたルアー本体と、
前記ルアー本体の頭部側の先端に取り付けられ、水の抵抗を受ける板状のリップと、
前記リップに形成され、ラインが結ばれる連結部と、
を備え、
前記リップの角度は、前記ルアー本体の前後方向に対して、０度を越え９０度未満の範囲内に上向きに設定されていることを特徴とするルアー。
【０００９】
［２］前記リップの角度は、前記ルアー本体の前後方向に対して、０度〜３０度の範囲内に設定されている前項１に記載のルアー。
【００１０】
［３］前記連結部は、前記リップの先端付近に形成されている前項１又は２に記載のルアー。
【発明の効果】
【００１１】
前項［１］〜［３］の手段によると、次の効果を奏する。
【００１２】
前項［１］の発明によると、水中に沈む質量とされたルアー本体と、前記ルアー本体の頭部側の先端に取り付けられ、水の抵抗を受ける板状のリップと、前記リップに形成され、ラインが結ばれる連結部と、を備え、前記リップの角度は、前記ルアー本体の前後方向に対して、０度を越え９０度未満の範囲内に設定されているため、着水後に水中に沈み、水中においてリーリングすると、リップの裏面（下面）に水の抵抗を受けることで、ボディを左右に揺らしながら浮上する方向に泳ぎ、効果的に魚を誘うことができる。
【００１３】
さらに、キャスト時にはラインが結ばれた顔側とは反対の尾側（前後方向の後方）に向かって飛行するが、リップがルアー本体の頭部側の先端に設けられているため、ルアー本体に沿って空気が流れることで、空気抵抗を小さくすることができる。これにより、飛距離を損なわない。
【００１４】
さらに、リップがルアー本体の頭部側の先端に取り付けられているため、キャスト時において、リップに結ばれたラインをルアー本体から遠ざけることができるため、ラインがルアー本体に絡み難くすることができる。これにより、飛行姿勢が安定して飛距離を損なわない。
【００１５】
前項［２］の発明によると、前記リップの角度は、前記ルアー本体の前後方向に対して、０度〜３０度の範囲内に設定されているため、よりルアーを遠くに飛ばすことができ、確実にボディを左右に揺らしながら浮上する方向に泳がせることができる。
【００１６】
前項［３］の発明によると、前記連結部は、前記リップの先端付近に形成されているため、ラインをリップから遠ざけることができ、より確実にラインがルアー本体に絡み難くすることができる。これにより、飛距離を損なわない。
【図面の簡単な説明】
【００１７】
【図１】図１は本発明の一実施形態に係るルアーを示す斜視図である。
【図２】図２は同ルアーを示す側面図である。
【図３】図３は同ルアーを分解して示す斜視図である。
【図４】図４は同ルアーのリップの差込構造を説明する部分説明図である。
【図５】図５は同ルアーのリップの差込構造を説明する説明斜視図である。
【図６】図６は同ルアーを示す断面側面図である。
【発明を実施するための形態】
【００１８】
以下、図面を参照して、本発明の一実施形態について説明する。本実施形態のルアー１は、水中に沈む質量とされ、シンキングタイプのルアーに属するものである。図１〜図６に示すように、ルアー１は、ルアー本体１０とリップ２０とから構成されている。
【００１９】
図１および図２に示すように、ルアー本体１０は、魚を模した外形に形成され、頭部１１、背部１２、腹部１３、尾部１４が構成されている。頭部１１には左右に眼１１ａが取り付けられている。
【００２０】
ルアー本体１０の腹部１３および尾部１４にはフックアイ３０が固定されている。このフックアイ３０には連結環３１を介してフック４０が装着されるようになっている。
【００２１】
ルアー本体１０は、プラスチック等の硬質樹脂製のものである。
【００２２】
図５および図６に示すように、ルアー本体１０の内部は中空構造に形成されている。ルアー本体１０は、左右対称形状に形成された２つの半割体１５，１５を合体させて構成されている。
【００２３】
ルアー本体１０の内部には、ウエイト設置凹部１６が形成されており、このウエイト設置凹部１６にウエイト５０が設置されている。これにより、ルアー本体１０内にウエイト５０が内蔵されている。このウエイト５０により、ルアー１の浮力調整が行われ、ルアー本体１０が水中に沈む質量とされている。
【００２４】
また、ルアー本体１０の内部の腹部１３側および尾部１４側には、８の字状に形成されたフックアイ３０を設置するためのフックアイ設置凹部１７が形成されている。このフックアイ設置凹部１７には、フックアイ３０の半分が埋設され、他の半分はルアー本体１０の外部に出されている。
【００２５】
図３および図４に示すように、ルアー本体１０の頭部１１先端には、ルアー本体１０の前後方向に、奥行きが広がるリップ差込凹部１８が形成されている。リップ差込凹部１８内にはリップ２０が頭部１１側（前側）に向かって引き抜かれないように係止部１９が形成されている。
【００２６】
リップ２０は、ルアー本体１０と別々に成形され、金属製のものである。リップ２０は水の抵抗を受ける、薄い板状に形成され、平面視略楕円形に形成されている。リップ２０の基端には、左右方向に突出する抜止突起２２が形成されている。
【００２７】
図３および図４に示すように、リップ２０は、ルアー本体１０の頭部１１に形成され、リップ２０を差し込めるリップ差込凹部１８に挿し込まれ、接着材で固定されている。このときにリップ２０の抜止突起２２が、ルアー本体１０のリップ差込凹部１８内の係止部１９に係止されることで、容易にリップ２０がルアー本体１０から抜けないように構成されている。このようにして、リップ２０は、ルアー本体１０の頭部１１側の先端に固定されている。
【００２８】
図２に示すように、リップ２０の角度Ａは、ルアー本体１０の前後方向に対して、０度を越え９０度未満の範囲内に上向きに設定されている。好適にはリップ２０の角度Ａはルアー本体１０の前後方向に対して、０度〜３０度の範囲内に上向きに設定されている。ここでルアー本体の前後方向とは、頭部の最先端と尾部の最後端とを結んだ仮想線の方向を言う（図２参照）。
【００２９】
図１等に示すように、リップ２０にはライン（釣り糸）が結ばれる連結部２１が形成されている。この連結部２１は、リップ２０に真円状の貫通孔を空けて、その貫通孔にスプリットリングやスナップを連結して構成されている。この連結部２１（スプリットリングやスナップ）にはラインが結ばれる。この連結部２１は、リップ２０の前後方向の先端付近であって、左右方向の中央に形成されている。
【００３０】
以上のように構成された本実施形態のルアーは以下の作用効果を奏する。
【００３１】
本実施形態によると、ルアー１は、水中に沈む質量とされたルアー本体１０と、ルアー本体１０の頭部１１側の先端に取り付けられ、水の抵抗を受ける板状のリップ２０と、リップ２０に形成され、ラインが結ばれる連結部２１と、を備え、リップ２０の角度は、ルアー本体１０の前後方向に対して、０度を越え９０度未満の範囲内に上向きに設定されている。このため、水中においてリーリングすると、リップ２０の裏面（下面）に水の抵抗を受けることで、ルアー本体１０を左右に揺らしながら浮上する方向に泳ぎ、効果的に魚を誘うことができる。
【００３２】
本実施形態によると、リップ２０がルアー本体１０の頭部側の先端に設けられているため、キャスト時において、ラインが結ばれた顔側とは反対の尾側（前後方向の後方）に向かって飛行するが、ルアー本体に沿って空気が流れることで、空気抵抗を小さくすることができる。これにより、飛距離を損なわない。
【００３３】
本実施形態によると、リップ２０がルアー本体１０の頭部１１側の先端に取り付けられているため、キャスト時において、リップに結ばれたラインをルアー本体から遠ざけることができるため、ラインがルアー本体に絡み難くすることができる。これにより、飛行姿勢が安定して飛距離を損なわない。
【００３４】
本実施形態によると、リップ２０の角度は、ルアー本体１０の前後方向に対して、０度〜３０度の範囲内に設定されているため、確実にボディを左右に揺らしながら浮上する方向に泳がせることができる。
【００３５】
本実施形態によると、連結部２１は、前記リップ２０の先端付近に形成されているため、ラインをリップから遠ざけることができ、より確実にラインがルアー本体に絡み難くすることができる。これにより、飛距離を損なわない。
【００３６】
本実施形態によると、リップ２０は薄い板状に形成されているため、キャスティング時の抵抗を小さくでき、また水中でのルアーの動き出しを良くすることができる。
【００３７】
本実施形態によると、リップ２０に真円状の貫通孔を空けて連結部２１としている。このため、リップにラインアイを埋設した場合と比べて部品点数を減らすことができ、ひいては製造コストを低減できる。
【００３８】
以上、本発明を一実施形態に基づいて説明してきたが、本発明は上記実施形態に限定されるものではなく、以下のように変形させても良い。
【００３９】
（１）上記実施形態によると、ルアー本体１０は、魚を模した外形に形成され、頭部１１、背部１２、腹部１３、尾部１４が構成され、頭部１１には左右に眼１１ａが取り付けられているとしたが、本発明はこれに限定されるものではなく、魚以外の外形に形成されても良い。例えば、ミミズ、エビ、ザリガニ、カエル、虫、ネズミ等の小動物、であって良い。さらに、生物を模した外形に形成されたものに限定されるものではなく、例えば、単なる棒状の外形の形成されたものであっても良い。
【００４０】
（２）上記実施形態によると、リップ２０は金属製のものであり、ルアー本体１０はプラスチック等の硬質樹脂製のものであるとしたが、本発明はこれに限定されるものではなく、リップ２０およびルアー本体１０は、上記に例示した素材以外の樹脂、金属、木材、カーボン等を採用できる。樹脂として、例えば、アクリロニトリル、ブタジエン、スチレン共重合樹脂（ＡＢＳ樹脂）、ポリカーボネート樹脂（ＰＣ樹脂）等を例示できる。金属として、例えば鉛、タングステン、亜鉛、ビスマス、ステンレス等を例示できる。木材として、例えばバルサ材等を例示できる。
【００４１】
（３）上記実施形態によると、ルアー本体１０は中空構造としたが、本発明はこれに限定されるものではなく、ルアー本体１０は空洞がない中実構造のルアーにも適用することができる。
【００４２】
（４）上記実施形態によると、ルアー本体１０を２つの半割体１５によって構成し、フックアイ設置凹部１７には、８の字状に形成されたフックアイ３０の半分が埋設され、他の半分はルアー本体１０の外部に出されているとした。しかし、本発明はこれに限定されるものではなく、２つの半割体１５でワイヤーを挟み込むようにし、このワイヤーの一部がルアー本体１０外に出して、フック４０を取り付けるように構成しても良い。
【００４３】
（５）上記実施形態によると、リップ２０の抜止突起２２が、ルアー本体１０のリップ差込凹部１８内の係止部１９に係止されることで、容易にリップ２０がルアー本体１０から抜けないように構成した。しかし、本発明はこれに限定されるものではなく、例えば、リップ２０の基端（後方）に、上下方向に貫通するリップ固定用貫通孔を設け、その固定用貫通孔と係止する突起をルアー本体１０のリップ差込凹部１８内に設けても良い。また、必ずしも、リップ２０の抜止突起２２を設ける必要もなく、接着材のみで、リップ２０をルアー本体１０に固定しても良く、リップ２０とルアー本体１０を一体成形しても良い。
【００４４】
（６）上記実施形態によると、リップ２０は薄い板状に形成されているとしたが、本発明はこれに限定されているものではなく、ルアーの大きさや形状等によって、自由に設計変更しても良い。
【００４５】
（７）上記実施形態によると、連結部２１は、リップ２０に真円状の貫通孔を空けて、その貫通孔にスプリットリングやスナップを連結して構成したが、本発明はこれに限定されているものではなく、例えばこの連結部２１は、８の字状に形成されたラインアイをリップ２０に埋設することで、連結部を構成しても良い。
【００４６】
（８）上記実施形態によると、連結部２１は、リップ２０の前後方向の先端付近であって、左右方向の中央に形成されているとしたが、本発明はこれに限定されるものではなく、次のようにしても良い。リップ２０の前後方向については、連結部２１が先端から中央付近までの間に形成されるのが好ましいが、特にこれに限定されるものではない。さらに、リップ２０の左右方向については、中央付近が好ましいが、左右のいずれかに偏った位置に形成されていても良い。
【符号の説明】
【００４７】
１：ルアー  
１０：ルアー本体  
１１：頭部
１１ａ：眼
１２：背部
１３：腹部
１４：尾部
１５：半割体
１６：ウエイト設置凹部
１７：フックアイ設置凹部
１８：リップ差込凹部
１９：係止部
２０：リップ  
２１：連結部  
２２：抜止突起
３０  フックアイ
３１  連結環
４０  フック
５０：ウエイト
【図１】
2018143224.tif 000003
【図２】
2018143224.tif 000004
【図３】
2018143224.tif 000005
【図４】
2018143224.tif 000006
【図５】
2018143224.tif 000007
【図６】
2018143224.tif 000008